(57)【特許請求の範囲】
【請求項１】
アンテナコアと、
棒状に形成された副磁路部材と、
前記アンテナコアに巻かれたコイルと、
アンテナ枠とを備え、
前記アンテナコアは、
棒状に形成されて前記コイルが巻かれたコイル巻部と、
前記コイル巻部の第１の端部に連続して形成された第１リード部と、
前記コイル巻部の第２の端部に連続して形成された第２リード部とを備え、
前記副磁路部材は、
前記第１リード部側の端部である第１の端部と、
前記第２リード部側の端部である第２の端部と、を備え、
前記アンテナ枠は、
前記アンテナコアの第１リード部の側面に、前記副磁路部材の第１の端部を密着させた状態で前記アンテナコアおよび前記副磁路部材を保持する第１保持部を有する第１アンテナ枠と、
前記アンテナコアの第２リード部の側面に、前記副磁路部材の第２の端部を密着させた状態で前記アンテナコアおよび前記副磁路部材を保持する第２保持部を有する第２アンテナ枠との２つの部材で構成され、
前記第１保持部は、前記アンテナ枠の保持面から突設された第１中間突起、第１コア側突起、第１副磁路側突起を備え、
前記第２保持部は、前記アンテナ枠の保持面から突設された第２中間突起、第２コア側突起、第２副磁路側突起を備え、
前記第１中間突起と第１コア側突起との間に形成された保持溝に、前記コイル巻部の第１の端部が保持され、
前記第２中間突起と第２コア側突起との間に形成された保持溝に、前記コイル巻部の第２の端部が保持され、
前記第１中間突起と第１副磁路側突起との間に形成された保持溝に、前記副磁路部材の
第１の端部側が保持され、
前記第２中間突起と第２副磁路側突起との間に形成された保持溝に、前記副磁路部材の第２の端部側が保持され、
前記第１アンテナ枠は、前記保持面から突設され、かつ、前記第１中間突起と前記第１コア側突起との間に形成された保持溝の延長線上に形成された第１係止突起を備え、
前記第２アンテナ枠は、前記保持面から突設され、かつ、前記第２中間突起と前記第２コア側突起との間に形成された保持溝の延長線上に形成された第２係止突起を備え、
前記第１リード部は、前記第１中間突起、前記第１コア側突起、前記第１係止突起により前記第１アンテナ枠に対して位置決めされ、
前記第２リード部は、前記第２中間突起、前記第２コア側突起、前記第２係止突起により前記第２アンテナ枠に対して位置決めされている
ことを特徴とするアンテナユニット。
【請求項２】
請求項１に記載のアンテナユニットにおいて、
前記アンテナ枠は、
前記第１リード部の表面に密着する第１集磁板を位置決めする第１位置決め部と、
前記第２リード部の表面に密着する第２集磁板を位置決めする第２位置決め部と、を備える
ことを特徴とするアンテナユニット。
【請求項３】
請求項１または請求項２に記載のアンテナユニットにおいて、
前記アンテナ枠には、地板に着脱自在に取り付けられるフック部が形成されている
ことを特徴とするアンテナユニット。
【請求項４】
請求項１から請求項３のいずれかに記載のアンテナユニットを備える
ことを特徴とする電波時計。
【発明の詳細な説明】
【技術分野】
【０００１】
本発明は、時刻情報を有する標準電波を受信する電波時計用アンテナユニットおよびこの電波時計用アンテナユニットを内蔵する電波時計に関する。
【背景技術】
【０００２】
電波時計用のアンテナとして、渦電流損失を低減し、受信感度を向上するために、主磁路および副磁路を有するアンテナが知られている（特許文献１参照）。
【０００３】
特許文献１のアンテナは、特許文献１の図１に示すように、磁心にコイルを巻回して主磁路とし、この主磁路に副磁路部材を接続して構成されている。
また、特許文献１の図９に示すように、アンテナを時計のケース内に配置する際に、副磁路部材をケース側に配置し、主磁路をケースの中心側、つまりムーブメントの中心側に配置している。
【先行技術文献】
【特許文献】
【０００４】
【特許文献１】特開２００６−６７５４４号公報
【発明の概要】
【発明が解決しようとする課題】
【０００５】
特許文献１は、主磁路を構成する磁心に副磁路部材をエアギャップ無しで接続すると記載されているが、その構成を実現するための具体的な構造は開示されていない。
ここで、腕時計用のアンテナは、小型でかつ金属製の時計ケース内に配置されるため、副磁路部材を設けて受信感度を向上させる場合、副磁路部材と磁心（アンテナコア）との距離が重要となる。このため、感度向上のためにアンテナコアおよび副磁路部材を確実にかつ容易に密着できるアンテナユニットが求められていた。
【０００６】
本発明の目的は、アンテナコアおよび副磁路部材を確実にかつ容易に密着できる電波時計用アンテナユニットおよびこの電波時計用アンテナユニットを組み込んだ電波時計を提供することにある。
【課題を解決するための手段】
【０００７】
本発明の電波時計用アンテナユニットは、アンテナコアと、副磁路部材と、前記アンテナコアに巻かれたコイルと、アンテナ枠とを備え、前記アンテナコアは、前記コイルが巻かれたコイル巻部と、前記コイル巻部の第１の端部に連続して形成された第１リード部と、前記コイル巻部の第２の端部に連続して形成された第２リード部とを備え、前記副磁路部材は、前記第１リード部側の端部である第１の端部と、前記第２リード部側の端部である第２の端部とを備え、前記アンテナ枠は、前記アンテナコアの第１リード部の側面に、前記副磁路部材の第１の端部を密着させた状態で前記アンテナコアおよび前記副磁路部材を保持する第１保持部と、前記アンテナコアの第２リード部の側面に、前記副磁路部材の第２の端部を密着させた状態で前記アンテナコアおよび前記副磁路部材を保持する第２保持部とを備えることを特徴とする。
【０００８】
本発明によれば、アンテナ枠に第１保持部および第２保持部を形成しているので、アンテナコアおよび副磁路部材をアンテナ枠に対して位置決めして取り付けることができる。
たとえば、アンテナ枠の第１保持部や第２保持部にアンテナコアを当接させた状態で、アンテナコアをアンテナ枠に接着し、副磁路部材を第１保持部や第２保持部に当接させた状態でアンテナ枠に接着する。これにより、前記副磁路部材の両端部である第１の端部および第２の端部を、アンテナコアの第１リード部および第２リード部に、確実にかつ容易に密着するように構成できる。
そして、電波（電磁波）による磁束が、主磁路となるアンテナコアを流れることでコイルに発生する磁束を、前記副磁路部材を通すことができる。従って、コイルに発生する磁束が、金属製の歯車やケースなどのアンテナユニットの周囲に設けられる金属部品を通ることを抑制でき、渦電流損を小さくできて受信感度を向上できる。
さらに、副磁路部材を設けているので、アンテナコアのサイズを小型化しても受信特性の低下を抑制できる。このため、腕時計のような小型の電波時計用のアンテナユニットとして利用できる。
【０００９】
本発明の電波時計用アンテナユニットにおいて、前記コイル巻部は、直線棒状に形成され、前記副磁路部材は、直線棒状に形成され、かつ、前記コイル巻部に平行に配置され、前記第１保持部は、前記アンテナ枠の保持面から突設された第１中間突起、第１コア側突起、第１副磁路側突起を備え、前記第２保持部は、前記アンテナ枠の保持面から突設された第２中間突起、第２コア側突起、第２副磁路側突起を備え、前記第１中間突起と第１コア側突起との間に形成された保持溝に、前記コイル巻部の第１の端部が保持され、前記第２中間突起と第２コア側突起との間に形成された保持溝に、前記コイル巻部の第２の端部が保持され、前記第１中間突起と第１副磁路側突起との間に形成された保持溝に、前記副磁路部材の第１の端部側が保持され、前記第２中間突起と第２副磁路側突起との間に形成された保持溝に、前記副磁路部材の第２の端部側が保持されていることが好ましい。
【００１０】
本発明では、たとえば、第１中間突起および第１コア側突起間の保持溝と、第２中間突起および第２コア側突起間の保持溝とにアンテナコアのコイル巻部を配置し、第１中間突起および第２中間突起側にコイル巻部を当接させてアンテナ枠に接着する。
そして、第１中間突起、第１コア側突起と、第２中間突起、第２コア側突起との間のコイル巻部にコイルを巻回する。
その後、第１中間突起および第１副磁路側突起間の保持溝と、第２中間突起および第２副磁路側突起間の保持溝とに、前記副磁路部材を配置し、第１中間突起および第２中間突起側に副磁路部材を寄せてアンテナ枠に接着する。このため、副磁路部材の第１の端部および第２の端部を、アンテナコアの第１リード部および第２リード部に密着させることができる。
すなわち、各保持溝にアンテナコアおよび副磁路部材を配置して互いに近づく方向、つまりアンテナコアおよび副磁路部材間に配置される第１中間突起および第２中間突起側に配置することで、アンテナコアの各リード部と副磁路部材とを容易にかつ確実に密着させることができる。
【００１１】
本発明の電波時計用アンテナユニットにおいて、前記アンテナ枠は、前記第１保持部を有する第１アンテナ枠と、前記第２保持部を有する第２アンテナ枠との２つの部材で構成されていることが好ましい。
【００１２】
アンテナ枠を第１，２の２つのアンテナ枠で構成すれば、アンテナ枠の連結部分をコイル巻部に積層する必要が無く、コイル巻部およびアンテナ枠にコイルを巻回する場合に比べて、同じ巻数であればコイルの直径を小さくできる。このため、アンテナユニットを薄型化できる。
【００１３】
本発明の電波時計用アンテナユニットにおいて、前記第１アンテナ枠は、前記保持面から突設され、かつ、第１中間突起と第１コア側突起との間に形成された保持溝の延長線上に形成された第１係止突起を備え、前記第２アンテナ枠は、前記保持面から突設され、かつ、第２中間突起と第２コア側突起との間に形成された保持溝の延長線上に形成された第２係止突起を備え、前記第１リード部は、前記第１中間突起、第１コア側突起、第１係止突起により前記第１アンテナ枠に対して位置決めされ、前記第２リード部は、前記第２中間突起、第２コア側突起、第２係止突起により前記第２アンテナ枠に対して位置決めされていることが好ましい。
【００１４】
本発明によれば、アンテナコアの各リード部に、第１アンテナ枠および第２アンテナ枠を位置決めして固定できる。このため、アンテナコアを基準にして各アンテナ枠同士の位置合わせも容易に行うことができる。
【００１５】
本発明の電波時計用アンテナユニットにおいて、前記アンテナ枠は、前記第１リード部の表面に密着する第１集磁板を位置決めする第１位置決め部と、前記第２リード部の表面に密着する第２集磁板を位置決めする第２位置決め部とを備えることが好ましい。
【００１６】
本発明によれば、第１および第２の各リード板に密着する第１および第２の各集磁板を備えていれば、各リード部の表面積よりも大きな面積で電波の磁束を集めることができるので、集磁効果を向上できる。特に、各集磁板は、各リード部に密着しているので、集磁板およびリード部の磁気結合を高めることができ、集磁効果をより向上できる。
また、集磁板は、アンテナコアよりも厚さ寸法が小さな薄板状に形成できるため、時計内でのアンテナユニットの配置レイアウトの自由度を高めることができる。
さらに、アンテナ枠に、各集磁板を位置決めする位置決め部を設けたので、集磁板を所定の位置に容易に配置することができる。このため、アンテナ枠から集磁板がはみ出ることも容易に防止でき、集磁板の破損などを防止できる。
【００１７】
本発明の電波時計用アンテナユニットにおいて、前記アンテナ枠には、電波時計の地板に着脱自在に取り付けられるフック部が形成されていることが好ましい。
【００１８】
本発明によれば、フック部を備えているので、フック部の代わりにネジを用いて固定する場合に比べて、固定作業を容易にでき、かつ、アンテナユニットの平面積を小さくでき、女性用の腕時計のような小型の時計内にも組み込むことができる。
すなわち、アンテナユニットを地板に位置決めして固定するには、アンテナ枠の少なくとも３箇所で地板に固定する必要がある。このため、アンテナ枠をネジで地板に固定する場合、３箇所のネジ込み作業が必要となる。また、アンテナ枠は、通常、地板に対して裏蓋側からネジをねじ込んで取り付けることになるため、アンテナ枠において、アンテナコア、副磁路部材、集磁板などと平面的に重ならない位置にねじ穴を形成する必要がある。このため、ねじ穴を形成するための張出部をアンテナ枠に形成する必要があり、アンテナ枠の平面積（時計の文字板や地板に平行な面における面積）が大きくなり、小型の腕時計に組み込むことが難しい。
これに対し、本発明のようなフック部は、たとえば、アンテナ枠から時計厚さ方向に沿って形成することができるので、ネジのみで固定する場合に比べて、アンテナ枠の平面積を小さくできる。なお、フック部は、アンテナ枠を地板に固定する少なくとも３箇所の固定箇所のうちの２箇所に設け、他の１箇所はねじ止めすることが好ましい。
【００１９】
本発明の電波時計は、前記電波時計用アンテナユニットを備えることを特徴とする。
本発明によれば、副磁路部材を設けているので、アンテナコアのサイズを小型化しても受信特性の低下を抑制できる。このため、アンテナユニットを内蔵する電波時計を小型化できる。
【図面の簡単な説明】
【００２０】
【図１】本発明の実施形態の電波時計を示す正面図である。
【図２】前記電波時計の地板およびアンテナユニットを示す概略斜視図である。
【図３】前記地板およびアンテナユニットを示す分解斜視図である。
【図４】前記アンテナユニットを示す斜視図である。
【図５】前記アンテナユニットを示す分解斜視図である。
【図６】前記アンテナユニットの要部を示す側面図である。
【発明を実施するための形態】
【００２１】
以下、本発明に係る実施形態を図面に基づいて説明する。
［電波時計の構成］
図１は、本実施形態に係る電波時計（電波修正時計）１の平面図である。
アンテナ内蔵式電子時計である電波時計１は、図１に示すように、時刻を表示する時刻表示部１０を備えた指針式腕時計（アナログ時計）である。この時刻表示部１０は、時針１１、分針１２、秒針１３、文字板１４を備える。そして、電波時計１は、時刻情報を含む無線電波としての長波標準電波を受信し、受信した時刻情報に基づいて時針１１、分針１２、秒針１３の指示位置を補正可能な時計である。
【００２２】
ここで、文字板１４としては、例えば合成樹脂やセラミック等の非導電性素材から形成されていることが好ましく、これにより、カバーガラス１２０側から進入する長波標準電波が阻害されず、後述するアンテナユニット２にて良好に受信させることができる。
なお、アンテナユニット２によって長波標準電波を受信する受信回路の構成は、従来の電波時計と同じであるため、説明を省略する。
【００２３】
［電波時計の構造］
次に、電波時計１の具体的構造について説明する。
電波時計１は、外装ケース１００を備えている。外装ケース１００は、約リング状に形成されたケーシング（胴）１１０と、ケーシング１１０の表面側に装着されたカバーガラス１２０と、ケーシング１１０の裏面側に着脱可能に取り付けられた図示略の裏蓋とを備えている。
【００２４】
ケーシング１１０は、ステンレス鋼、真鍮、チタン等の金属材で構成されている。このケーシング１１０は、略円筒状に形成され、内周面が平面略円形に形成されている。
裏蓋は、ケーシング１１０と同様な金属材で構成され、ケーシング１１０の裏面開口に固定されている。
【００２５】
外装ケース１００内には、図２に示すようなムーブメント（モジュール）３が配置されている。ムーブメント３は、合成樹脂製の地板５を備えている。この地板５には、図示略の回路基板、モーター、輪列、二次電池などが取り付けられているが、これらは従来の電波時計と同じ構成であるため説明を省略する。
また、図３にも示すように、地板５には、アンテナユニット２が着脱可能に取り付けられている。
【００２６】
［アンテナユニットの構造］
アンテナユニット２は、図３〜５に示すように、アンテナコア（磁性体コア）２０と、副磁路部材３０と、第１アンテナ枠４０と、第２アンテナ枠５０と、第１集磁板６０と、第２集磁板７０とを備えて構成されている。
なお、アンテナコア２０には、図示しないコイルが巻かれており、必要に応じて、耐食性に優れるカチオン電着塗装等で絶縁が施される。
【００２７】
アンテナコア２０は、例えば、磁性箔材としてのコバルト系のアモルファス金属箔（例；Ｃｏ５０ｗｔ％以上のアモルファスシート）を型で打ち抜くか、エッチングで成形したものを電波時計１の厚さ方向に１０〜３０枚程接着して重ね合わせ、焼鈍等の熱処理を行って磁気特性を安定化させたものである。
アンテナコア２０は、図５に示すように、コイル巻部２１と、第１リード部２２と、第２リード部２３とを備えて構成されている。
【００２８】
コイル巻部２１は、ストレート（直線状）に延長されて図示略のコイルが巻かれる棒状部分である。すなわち、コイル巻部２１は、幅寸法が一定のバー状に形成されている。
第１リード部２２は、コイル巻部２１の長手方向の一方の端部である第１の端部２１１に連続して形成されている。
第２リード部２３は、コイル巻部２１の長手方向の他方の端部である第２の端部２１２に連続して形成されている。
【００２９】
第１リード部２２は、電波時計１の表面（ムーブメント３の文字板側）から見た表面形状が略三角形状とされている。
すなわち、第１リード部２２は、コイル巻部２１の第１の端部２１１からムーブメント３の外周側に延長される第１側面２２１と、第１の端部２１１からムーブメント３の内周側に延長される第２側面２２２と、第２側面２２２から前記コイル巻部２１の長手方向に沿って第１リード部２２の先端側に延長された第３側面２２３と、第１側面２２１および第３側面２２３の端縁間を結ぶ第４側面２２４とを備えている。
第４側面２２４は、地板５の外周面に略沿った円弧形状とされ、コイル巻部２１の長手方向の延長線上の位置には位置決め用の凹部２２６が形成されている。
【００３０】
第２リード部２３は、電波時計１の表面（ムーブメント３の文字板側）から見た表面形状が略円弧形状とされている。
すなわち、第２リード部２３は、コイル巻部２１の第２の端部２１２からムーブメント３の外周側に延長される第１側面２３１と、第２の端部２１２からムーブメント３の内周側に延長される第２側面２３２と、第２側面２３２から前記コイル巻部２１の長手方向に沿って第２リード部２３の先端側に延長された第３側面２３３と、第３側面２３３から円弧面を介して延長された第４側面２３４と、第４側面２３４および第１側面２３１の端縁間を結ぶ第５側面２３５とを備えている。
第５側面２３５は、地板５の外周面に略沿った円弧形状とされ、コイル巻部２１の長手方向の延長線上の位置には位置決め用の凹部２３６が形成されている。
【００３１】
ここで、アンテナコア２０の各アモルファス箔は、厚さ寸法が０．０１ｍｍ〜０．０５ｍｍ程度であるため、例えば３０枚積層した場合、アンテナコア２０の積層方向の厚さ寸法は０．３〜１．５ｍｍ程度である。アモルファス箔材はフェライトに比べて磁気特性が良いため、より小型・薄型のアンテナを実現できる。
なお、アンテナコア２０としては、積層アモルファス箔に限定されず、軟磁性金属薄帯等でもよい。また、アンテナコア２０としては、性能は劣るが安価なフェライトを用いてもよく、この場合には、型等で成形し、熱処理して製造すればよい。
【００３２】
アンテナコア２０のコイル巻部２１に巻回されるコイルは、長波標準電波（４０〜７７．５ｋＨｚ）を受信する場合は、１５〜５０ｍＨ程度のインダクタンス値が必要となる。このため、本実施形態では、コイルとして直径約５０μｍ程度のウレメット線を数百ターンほど巻いて構成している。
【００３３】
副磁路部材３０は、アンテナコア２０と同様に、アモルファス合金、軟磁性金属薄帯等を積層したものでもよいし、軟磁性フェライトで構成してもよい。また、副磁路部材３０は、比透磁率がアンテナコア２０と同等またはそれ以下のものを用いる。
副磁路部材３０は、断面矩形の棒状に形成され、その厚さ寸法（時計厚さ方向の寸法）は、図６に示すように、前記アンテナコア２０の厚さと略同じ寸法に設定されている。
この副磁路部材３０は、後述するように、第１アンテナ枠４０および第２アンテナ枠５０に保持されることにより、前記コイル巻部２１に対して平行に配置されている。さらに、副磁路部材３０の長手方向の両端部である第１の端部３１および第２の端部３２の各側面が、アンテナコア２０の第１リード部２２の第３側面２２３と、第２リード部２３の第３側面２３３とに密着されている。
【００３４】
第１アンテナ枠４０は、合成樹脂製の部材であり、前記アンテナコア２０および副磁路部材３０を密着状態で保持する第１保持部４１を備えている。
第１保持部４１は、第１アンテナ枠４０において前記アンテナコア２０や副磁路部材３０が載置（保持）される保持面４００から突設された第１中間突起４２、第１コア側突起４３、第１副磁路側突起４４を備えている。さらに保持面４００には、第１係止突起４５も突設されている。
第１副磁路側突起４４には、位置決め用の孔４４１が形成されている。
【００３５】
第１アンテナ枠４０には、フック部４６と、突出部４７と、突出部４７から突出した壁部４８と、地板５に固定される図示略のネジが挿通される挿通孔４９とが形成されている。さらに、突出部４７の上面には第１集磁板６０を載置するための載置台４７１が形成されている。
【００３６】
第２アンテナ枠５０は、第１アンテナ枠４０と同様に合成樹脂製の部材であり、前記アンテナコア２０および副磁路部材３０を密着状態で保持する第２保持部５１を備えている。
第２保持部５１は、第２アンテナ枠５０において前記アンテナコア２０や副磁路部材３０が載置（保持）される保持面５００から突設された第２中間突起５２、第２コア側突起５３、第２副磁路側突起５４を備えている。
さらに保持面５００には、第２係止突起５５も突設されている。
【００３７】
第２アンテナ枠５０には、フック部５６と、突出部５７と、壁部５８とが形成されている。突出部５７の上面には、突出ピン５７１が形成されている。
【００３８】
［アンテナ枠と、アンテナコア、副磁路部材との固定］
アンテナコア２０および副磁路部材３０は、第１アンテナ枠４０および第２アンテナ枠５０の第１保持部４１、第２保持部５１に保持されている。
すなわち、アンテナコア２０のコイル巻部２１の第１の端部２１１は、第１中間突起４２および第１コア側突起４３間の溝部に配置される。また、第１リード部２２の第１側面２２１、第２側面２２２、凹部２２６が、第１アンテナ枠４０の第１コア側突起４３、第１中間突起４２、第１係止突起４５に当接することで、第１リード部２２は第１アンテナ枠４０に位置決めされている。
同様に、アンテナコア２０のコイル巻部２１の第２の端部２１２は、第２中間突起５２および第２コア側突起５３間の溝部に配置される。また、第２リード部２３の第１側面２３１、第２側面２３２、凹部２３６が、第２アンテナ枠５０の第２コア側突起５３、第２中間突起５２、第２係止突起５５に当接することで、第２リード部２３は第２アンテナ枠５０に位置決めされている。
【００３９】
副磁路部材３０は、第１保持部４１の第１中間突起４２および第１副磁路側突起４４間の溝と、第２保持部５１の第２中間突起５２および第２副磁路側突起５４間の溝に配置されている。この際、副磁路部材３０は、副磁路部材３０の第１保持部４１および第２保持部５１よりも外側の各端部３１，３２が、前記アンテナコア２０の第３側面２２３、第３側面２３３に密着するように保持されている。
すなわち、第１中間突起４２および第２中間突起５２の幅寸法は第２側面２２２、第２側面２３２の突出寸法とほぼ同じとされている。そして、アンテナコア２０を、第１中間突起４２、第２中間突起５２に当接させた状態で、第１アンテナ枠４０、第２アンテナ枠５０に接着することで、第１中間突起４２および第２中間突起５２の副磁路部材３０側の側面は、前記第３側面２２３および第３側面２３３と略同一面となるように設定されている。このため、副磁路部材３０を第１中間突起４２および第２中間突起５２側に押し付けて配置して第１アンテナ枠４０、第２アンテナ枠５０に接着すれば、副磁路部材３０の各端部３１，３２が各リード部２２，２３に密着する。
【００４０】
また、副磁路部材３０は、第１アンテナ枠４０の突出部４７および第２アンテナ枠５０の突出部５７間に配置され、副磁路部材３０の長手方向の位置が規制されている。たとえば、副磁路部材３０は、一方の端面を突出部５７に当接させることで、長手方向の位置を決めている。
【００４１】
第１リード部２２の表面には、第１集磁板６０が接着されている。第１集磁板６０は、第１リード部２２と同じ表面形状に形成されるとともに、第１リード部２２から載置台４７１部分まで延長された部分を備えている。このため、第１集磁板６０は、第１リード部２２の表面（第１集磁板６０の接着面）よりも大きな面積に形成されている。
この第１集磁板６０の延長部分は、載置台４７１上に載置されている。
そして、第１集磁板６０の周面は、壁部４８、フック部４６、第１係止突起４５、第１コア側突起４３、第１中間突起４２、第１副磁路側突起４４に当接して位置決めされている。従って、これらの壁部４８、フック部４６、第１係止突起４５、第１コア側突起４３、第１中間突起４２、第１副磁路側突起４４により、第１アンテナ枠４０において第１集磁板６０を位置決めする第１位置決め部が構成されている。
【００４２】
第２リード部２３の表面には、第２集磁板７０が接着されている。第２集磁板７０は、第２リード部２３と同じ表面形状に形成されている。このため、第２集磁板７０の周囲は、突出部５７、壁部５８、フック部５６、第２コア側突起５３、第２中間突起５２、第２副磁路側突起５４に当接して位置決めされている。従って、突出部５７、壁部５８、フック部５６、第２コア側突起５３、第２中間突起５２、第２副磁路側突起５４により、第２アンテナ枠５０において第２集磁板７０を位置決めする第２位置決め部が構成されている。
【００４３】
ここで、第１集磁板６０および第２集磁板７０は、アモルファスシートからなる磁性箔体（アモルファス箔）を数枚（例えば３枚）積層して構成されている。
アモルファス箔としては、例えばコバルト系アモルファス金属（Co-Fe-Ni-B-Si）や鉄系アモルファス金属などが挙げられる。
【００４４】
以上のように、第１アンテナ枠４０、第２アンテナ枠５０にアンテナコア２０、副磁路部材３０を取り付け、第１リード部２２および第２リード部２３に第１集磁板６０および第２集磁板７０を接着することで、図４に示すようなアンテナユニット２が構成される。
なお、コイル巻部２１へのコイルの巻回作業は、アンテナコア２０を第１アンテナ枠４０、第２アンテナ枠５０に取り付ける前に行ってもよいが、通常は、アンテナコア２０を第１アンテナ枠４０、第２アンテナ枠５０に取り付けた後、副磁路部材３０を取り付ける前に行うことが好ましい。
【００４５】
アンテナユニット２は、図２，３に示すように、地板５に形成されたコイル配置用の開口５Ａに第１中間突起４２、第１コア側突起４３、第２中間突起５２、第２コア側突起５３を挿入する。この際、第１副磁路側突起４４、第１係止突起４５、壁部４８、第２係止突起５５、壁部５８の表面は、地板５の裏面に当接される。また、各フック部４６，５６は、地板５の上面に配置される図示略の文字板受けリングに係合される。
さらに、突出部５７に形成された突出ピン５７１は、地板５に形成された位置決め孔に挿入される。一方、第１副磁路側突起４４に形成された孔４４１には、地板５に形成された位置決めピンが挿通される。さらに、挿通孔４９には、地板５に形成されたネジ固定用の筒状固定部が挿通される。
【００４６】
これらにより、地板５に対する第１アンテナ枠４０、第２アンテナ枠５０の位置決めがなされ、アンテナユニット２を地板５における所定位置に配置できる。また、前記挿通孔４９に挿通された筒状固定部に、図示略の回路基板や耐磁板などを介して裏蓋側からネジをねじ込むことで、アンテナユニット２は地板５に固定される。
従って、アンテナユニット２は、地板５の外周部に配置され、第１アンテナ枠４０や第２アンテナ枠５０の外周面は、地板５の外周面とほぼ同一面とされている。ここで、コイル巻部２１は直線状に形成され、第１リード部２２、第２リード部２３が湾曲されている。このため、アンテナコア２０の第１リード部２２、第２リード部２３は、地板５の円弧状の外周面にほぼ沿って配置されている。
【００４７】
このようなアンテナユニット２は、図１に示すように、外装ケース１００の中心に対して６時から１０時位置にわたって配置されている。この際、アンテナコア２０に対して副磁路部材３０が時計中心側に配置されている。
一方、外装ケース１００の３時側には外部操作部材６が配置されている。外部操作部材６は、外装ケース１００の３時位置に配置された、巻真および竜頭７と、２時位置および４時位置に配置されたボタン８，９とを備えている。
【００４８】
このような本実施形態によれば、次の効果が得られる。
（１）本実施形態によれば、アンテナ枠４０，５０に第１保持部４１および第２保持部５１を形成しているので、アンテナコア２０および副磁路部材３０をアンテナ枠４０，５０に対して位置決めして取り付けることができる。
特に、第１保持部４１、第２保持部５１の第１中間突起４２、第２中間突起５２を基準に、アンテナコア２０および副磁路部材３０を取り付けることで、アンテナコア２０の各リード部２２，２３と、副磁路部材３０の各端部３１，３２とを、確実にかつ容易に密着させることができる。
そして、アンテナコア２０および副磁路部材３０を密着できるので、渦電流損を小さくできて受信感度を向上できる。特に、副磁路部材３０をアンテナコア２０の時計内部側に配置したので、時計内部の歯車等に磁束が流れることを容易に防止できる。
【００４９】
（２）アンテナ枠を、第１アンテナ枠４０および第２アンテナ枠５０の２つの部材で構成したので、アンテナ枠４０，５０の連結部分をコイル巻部２１に積層する必要が無く、コイル巻部２１およびアンテナ枠にコイルを巻回する場合に比べて、同じ巻数であればコイルの直径を小さくできる。このため、アンテナユニット２を薄型化できる。
また、アンテナ枠４０，５０が２つの部材に分かれていても、アンテナコア２０の各リード部２２，２３を、各アンテナ枠４０，５０に位置決めして取り付けることができるので、アンテナコア２０をアンテナ枠４０，５０の連結部として利用でき、アンテナユニット２として容易に一体化できる。
その上、各アンテナ枠４０，５０に形成した第１中間突起４２、第１コア側突起４３、第２中間突起５２、第２コア側突起５３を、コイル巻部２１に巻かれるコイルの端部の位置決め用としても利用できるので、コイル巻き作業を容易に行うことができる。
【００５０】
（３）第１集磁板６０、第２集磁板７０を各リード部２２，２３に密着させているので、アンテナコア２０における集磁効果を高めることができ、アンテナの特性を向上できる。従って、本発明は、副磁路部材３０および集磁板６０，７０を備えることで、小型のアンテナユニット２でありながら、受信感度を向上でき、女性用の腕時計のように、小型の電波時計１も容易に構成することができる。
また、各アンテナ枠４０，５０に集磁板６０，７０を位置決めする位置決め部を設けたので、アンテナ枠４０，５０から集磁板６０，７０がはみ出ることも容易に防止できる。このため、アンテナユニット２を時計に組み込む際などに、集磁板６０，７０が他の部品などにぶつかって破損することを防止できる。
【００５１】
（４）アンテナ枠４０，５０にフック部４６，５６を設けたので、固定作業を容易にでき、かつ、アンテナユニット２の平面積を小さくでき、女性用の腕時計のような小型の時計内にも組み込むことができる。さらに、アンテナユニット２は、前記フック部４６，５６だけでなく、挿通孔４９に挿通されるネジによってねじ止めされるので、地板５に対して確実に固定できる。
【００５２】
なお、本発明は、前記実施形態に限定されるものではない。
例えば、前記実施形態では、アンテナ枠を第１アンテナ枠４０および第２アンテナ枠５０の２つの部材で構成していたが、各アンテナ枠４０，５０部分を連結する連結部を備えて一体化されたアンテナ枠を用いてもよい。
【００５３】
さらに、第１保持部４１および第２保持部５１の構成は前記実施形態のものに限らない。たとえば、第１コア側突起４３、第１副磁路側突起４４や、第２コア側突起５３、第２副磁路側突起５４にばね構造を持たせて、各溝部に配置したアンテナコア２０や副磁路部材３０を、互いに近づく方向、つまり第１中間突起４２や第２中間突起５２側に付勢して保持するように構成してもよい。この場合、アンテナコア２０や副磁路部材３０をアンテナ枠４０，５０に接着せずに保持することもでき、組立作業性を向上できる。
【００５４】
アンテナユニット２の地板５への固定構造は前記実施形態のものに限らない。たとえば、前記実施形態では、各フック部４６，５６を地板５の上面に配置される図示略の文字板受けリングに係合させていたが、地板５に係合させてもよい。また、フック部を地板５側に形成し、地板５のフック部でアンテナユニット２を保持するようにしてもよい。さらに、フック部を設けずに、ネジによって固定してもよい。
【００５５】
集磁板６０，７０は必ずしも設けなくてもよいが、設けた方がアンテナ特性を向上できる点で好ましい。
また、集磁板６０，７０としては、積層アモルファス箔で構成されたものに限らず、フェライトシート等の磁性箔体を用いてもよいし、アモルファス粉末に合成樹脂を混ぜて成形したものや、フェライトコアなどの磁性体を用いてもよい。ただし、アモルファス箔やフェライトシートなどの磁性箔体を用いたほうが、厚さ寸法を小さくでき、かつ、磁気特性に優れている点で好ましい。
【符号の説明】
【００５６】
１…電波時計、２…アンテナユニット、３…ムーブメント、５…地板、２０…アンテナコア、２１…コイル巻部、２２…第１リード部、２３…第２リード部、３０…副磁路部材、３１…第１の端部、３２…第２の端部、４０…第１アンテナ枠、４１…第１保持部、４２…第１中間突起、４３…第１コア側突起、４４…第１副磁路側突起、４５…第１係止突起、４６…フック部、４７…突出部、４８…壁部、４９…挿通孔、５０…第２アンテナ枠、５１…第２保持部、５２…第２中間突起、５３…第２コア側突起、５４…第２副磁路側突起、５５…第２係止突起、５６…フック部、５７…突出部、５８…壁部、６０…第１集磁板、７０…第２集磁板、４００，５００…保持面。
【図１】
0005891799.tif 000002
【図２】
0005891799.tif 000003
【図３】
0005891799.tif 000004
【図４】
0005891799.tif 000005
【図５】
0005891799.tif 000006
【図６】
0005891799.tif 000007